(57)【要約】      （修正有）【課題】水飲みなどに用いるコップを真っ逆様に吊り下げることができ、しかも様々な吊り下げ方が可能なコップの逆さ保持構造を提供する。【解決手段】コップの外底部を球面状に形成して、その中央に突起を設けると共に、前記突起に紐状体を連結可能とする。又は、前記突起に括れ部を設けて、該括れ部に二股のホルダーを挿入可能に構成する。又は、コップの前記球面状の部分に固定したリング状又は椀状の磁石又は磁性体を吸着する磁性板又は磁石を設置した吊り下げ手段あるいは壁面への取付け手段を設けて、磁力でコップを逆さ状態に吸着保持する。【選択図】図１
0003124984.tif 000002
【実用新案登録請求の範囲】
【請求項１】
水飲みなどに用いるコップを真っ逆様に保持可能とするために、コップの外底部を球面状に形成して、その中央に突起を設けると共に、前記突起に紐状体を連結可能としたことを特徴とする逆さ吊り下げ用のコップ。
【請求項２】
水飲みなどに用いるコップを真っ逆様に保持可能とするために、コップの外底部を球面状とし、その中央に設けた突起に括れ部を設けて、該括れ部に二股のホルダーを挿入可能に構成してあることを特徴とする逆さ吊り下げ用のコップ。
【請求項３】
請求項２に記載の括れ部を挟持するように括れ部中に挿入するための二股状部を設置してあることを特徴とするコップの吊り下げ保持構造。
【請求項４】
前記の二股状部は、先端寄りが多少開いた状態になっていることを特徴とする請求項３に記載のコップの吊り下げ保持構造。
【請求項５】
水飲みなどに用いるコップを真っ逆様に保持可能とするために、コップの外底部を球面状とし、前記球面状の部分にリング状又は椀状の磁石又は磁性体を被せて固定してあることを特徴とする逆さ吊り下げ用のコップ。
【請求項６】
請求項１に記載のコップの突起の吊り下げ手段又は請求項５に記載のリング状又は椀状の磁石又は磁性体を吸着する磁性板又は磁石を設置する吊り下げ手段あるいは壁面への取付け手段を設けてなることを特徴とするコップの逆さ吊り下げ装置。  
【請求項７】
前記コップの最大外径より内径の小さいリング体を水平に設置可能としてあることを特徴とする請求項３、請求項４又は請求項６に記載のコップ保持装置。
【考案の詳細な説明】
【技術分野】
【０００１】
本考案は、水飲みなどに用いるコップを逆さに保持する構造に関する。
【背景技術】
【０００２】
コップを水飲みなどに使用した後、内部に水分が溜まったままになるのを避けるために、使用後のコップを逆さにして水切りかごに収納するのが通常である。これに対し、実用新案登録第３０６３１６２号で提案されているように、コップの取っ手と底側との間に孔状部を付設し、この孔状部をフックなどに引っ掛けて吊り下げることによって、開口部が常に下向きとなるような考案が知られている。
【特許文献１】実用新案登録第３０６３１６２
【考案の開示】
【考案が解決しようとする課題】
【０００３】
しかしながら、特許文献１のように孔状部を付設する構造では、吊り下げた状態ではコップが斜めになるため、見た目にスマートさが無く、見苦しい。また、孔状部を掛けるフックが不可欠であり、吊り下げ方も限定されてしまう。本考案の技術的課題は、このような問題に着目し、コップなどを真っ逆様に吊り下げることができ、しかも様々な吊り下げ方が可能なコップの逆さ保持構造を実現することにある。
【課題を解決するための手段】
【０００４】
本考案の技術的課題は次のような手段によって解決される。請求項１は、水飲みなどに用いるコップを真っ逆様に保持可能とするために、コップの外底部を球面状に形成して、その中央に突起を設けると共に、前記突起に紐状体を連結可能としたことを特徴とする逆さ吊り下げ用のコップである。このように、コップの外底部を球面状に形成してあるため、通常のコップのように、開口を上にしてどこにでも置くことはできないので、使用後の残り水などが溜まったままになるようなことはなく、衛生的である。そして、前記球面状部の中央に突起を設けて、該突起に紐状体を連結可能としたため、前記突起に紐状体を連結すると共に前記紐状体を水飲み場などに吊るしておくことによって、コップを容易に真っ逆様に吊り下げることができる。その結果、水切りが迅速かつ完全で、使用後の残り水が溜まって不衛生となるようなことはない。また、コップが真っ逆様に保持されている光景は意外性に富み、趣向的にもすぐれていて、購買意欲をそそるという効果を奏する。
【０００５】
請求項２は、水飲みなどに用いるコップを真っ逆様に保持可能とするために、コップの外底部を球面状とし、その中央に設けた突起に括れ部を設けて、該括れ部に二股のホルダーを挿入可能に構成してあることを特徴とする逆さ吊り下げ用のコップである。このように、水飲みなどに用いるコップを真っ逆様に保持可能とするために、コップの外底部を球面状に形成してあるので、請求項１の場合と同様に水切りが完全であるほか、球面状部の中央に設けた突起に括れ部を設けてあるため、この括れ部に二股のホルダーを挿入すれば、括れ部を挟持することによって、コップを真っ逆様に吊り下げ保持することができる。
【０００６】
請求項３は、請求項２に記載の括れ部を挟持するように括れ部中に挿入するための二股状部を設置してあることを特徴とするコップの吊り下げ保持構造である。このように、請求項２に記載の括れ部を挟持するように括れ部中に挿入するための二股状部を設置してあるため、二股状部の間にコップの括れ部を挿入するだけで、コップを安定よく吊り下げ保持できる。
【０００７】
請求項４は、前記の二股状部は、先端寄りが多少開いた状態になっていることを特徴とする請求項３に記載のコップの吊り下げ保持構造である。このように、前記の二股状部は、先端寄りが多少開いた状態になっているため、括れ部が二股状部の間に多少きつく挟持されるように奥まで押し込むことによってコップの自由が拘束されて安定性が増し、又は脱落をより確実に防止できる。
【０００８】
請求項５は、水飲みなどに用いるコップを真っ逆様に保持可能とするために、コップの外底部を球面状とし、前記球面状の部分にリング状又は椀状の磁石又は磁性体を固定してあることを特徴とする逆さ吊り下げ用のコップである。このように、水飲みなどに用いるコップを真っ逆様に保持可能とするために、コップの外底部を球面状とし、前記球面状の部分にリング状又は椀状の磁石又は磁性体を被せて固定してあるため、球面状外底部の作用で水切りが完全になるほか、前記球面状部に被せて固定してあるリング状又は椀状の磁石又は磁性体を利用してホルダー側に磁力でワンタッチ式に吸着保持させることによって、容易にコップを真っ逆様に吊るすことができる。
【０００９】
請求項６は、請求項１に記載のコップの突起の吊り下げ手段又は請求項５に記載のリング状又は椀状の磁石又は磁性体を吸着する磁性板又は磁石を設置した吊り下げ手段あるいは壁面への取付け手段を設けてなることを特徴とするコップの逆さ吊り下げ装置である。このように、紐状体などのような、請求項１に記載のコップの突起の吊り下げ手段を設けてあると、コップを容易に真っ逆様に吊り下げ状態に保持できる。
【００１０】
また、請求項５に記載のリング状又は椀状の磁石又は磁性体を吸着する磁性板又は磁石を設置した吊り下げ手段（紐状体など）又は壁面への取付け手段を設けてあるため、磁性板又は磁石を設置した吊り下げ手段（紐状体など）を用いることによって、紐状体などによる吊り下げ状態の磁性板又は磁石にコップ側の磁石又は磁性体を吸着させることによって吊り下げ状態に吸着保持できる。あるいは、磁性板又は磁石を設置するための、壁面への取付け手段を設けてあると、壁面に取付け固定されている取付け手段に付いている磁性板又は磁石の下面に、コップ側の磁石又は磁性体を吸着させることによって、ワンタッチで容易に吊り下げ保持できる。
【００１１】
請求項７は、前記コップの最大外径より内径の小さいリング体を水平に設置可能としてあることを特徴とする請求項３又は請求項４、請求項６に記載のコップ保持装置である。このように、前記コップの最大外径より内径の小さいリング体を水平に設置可能としてあるため、前記コップに水や歯ブラシなどを入れた状態にしたい場合は、リング体を水平にしてその中にコップを挿入して、コップ中に水や歯ブラシなどを入れておくことができる。
【考案の効果】
【００１２】
請求項１のように、コップの外底部を球面状に形成してあるため、通常のコップのように、開口を上にしてどこにでも置くことはできないので、使用後の残り水などが溜まったままになるようなことはなく、衛生的である。そして、前記球面状部の中央に突起を設けて、該突起に紐状体を連結可能としたため、前記突起に紐状体を連結すると共に前記紐状体を水飲み場などに吊るしておくことによって、コップを容易に真っ逆様に吊り下げることができる。その結果、水切りが迅速かつ完全で、使用後の残り水が溜まって不衛生となるようなことはない。また、コップが真っ逆様に保持されている光景は意外性に富み、趣向的にもすぐれていて、購買意欲をそそるという効果を奏する。
【００１３】
請求項２のように、水飲みなどに用いるコップを真っ逆様に保持可能とするために、コップの外底部を球面状に形成してあるので、請求項１の場合と同様に水切りが完全であるほか、球面状部の中央に設けた突起に括れ部を設けてあるため、この括れ部に二股のホルダーを挿入すれば、括れ部を挟持することによって、コップを真っ逆様に吊り下げ保持することができ、使用後の残り水が溜まって不衛生となるようなことはない。
【００１４】
請求項３のように、請求項２に記載の括れ部を挟持するように括れ部中に挿入するための二股状部を設置してあるため、二股状部の間にコップの括れ部を挿入するだけで、コップを安定よく吊り下げ保持できる。
【００１５】
請求項４のように、前記の二股状部は、先端寄りが多少開いた状態になっているため、括れ部が二股状部の間に多少きつく挟持されるまで挿入することによってコップの自由が拘束されて安定性が増し、又は脱落をより確実に防止できる。
【００１６】
請求項５のように、水飲みなどに用いるコップを真っ逆様に保持可能とするために、コップの外底部を球面状とし、前記球面状の部分にリング状又は椀状の磁石又は磁性体を被せて固定してあるため、球面状外底部の作用で水切りが完全になるほか、前記球面状部に被せて固定してあるリング状又は椀状の磁石又は磁性体を利用してホルダー側に磁力でワンタッチ式に吸着保持させることによって、容易にコップを真っ逆様に吊るすことができる。
【００１７】
請求項６のように、紐状体などのような、請求項１に記載のコップの突起の吊り下げ手段を設けてあると、コップを容易に真っ逆様に吊り下げ状態に保持できる。また、請求項５に記載のリング状又は椀状の磁石又は磁性体を吸着する磁性板又は磁石を設置した吊り下げ手段（紐状体など）又は壁面への取付け手段を設けてあるため、磁性板又は磁石を設置した吊り下げ手段（紐状体など）を用いることによって、紐状体などによる吊り下げ状態の磁性板又は磁石にコップ側の磁石又は磁性体を吸着させることによって吊り下げ状態に吸着保持できる。あるいは、磁性板又は磁石を設置するための、壁面への取付け手段を設けてあると、壁面に取付け固定されている取付け手段に付いている磁性板又は磁石の下面に、コップ側の磁石又は磁性体を吸着させることによって、ワンタッチで容易に吊り下げ保持できる。
【００１８】
請求項７のように、前記コップの最大外径より内径の小さいリング体を水平に設置可能としてあるため、前記コップに水や歯ブラシなどを入れた状態にしたい場合は、リング体を水平にしてその中にコップを挿入して、コップ中に水や歯ブラシなどを入れておくことができる。
【考案を実施するための最良の形態】
【００１９】
次に本考案によるコップの逆さ保持構造が実際上どのように具体化されるか実施形態を説明する。図１は本考案によるコップの逆さ保持構造の第１実施形態を示す側面図である。１は逆さ保持用のコップであり、容器部が例えばワイングラス状をしている。したがって、コップ１の外底部２が球面状に形成されている。図示例の場合は、卵状ないし楕円状になっている。そして、この球面状部２の中央に突起３を設け、この突起３を利用して、例えば天井４などに鎖や紐など５で吊り下げる構造になっている。
【００２０】
図示例では、紐状体５を突起３に連結するために、突起３に横穴６を開けて、この横穴６に紐状体５を挿通し、結んである。紐状体５の下端にフックを連結しておいて、このフックを前記横穴６に挿入してもよい。紐状体５の上端は、天井部４に固定してあるフックＦなどに連結してある。
【００２１】
このようにして、コップ１の球面状の外底部２の中央に設けた突起３を利用して、紐状体５を介して、天井部などに真っ逆様に吊り下げ保持してあるため、このコップ１を水飲みや歯磨きなどに使用した後は、ゆすいでからそのまま再び吊り下げ状態にしておくだけで、確実に水切りされ、かつ自然乾燥する。また、コップ１が常に一定の場所に吊り下がっていると、コップ１を探したりする面倒もなく、使い勝手が良くなる。したがって、例えば肢体が不自由な人や高齢者、幼児などでも容易に使えて、便利である。使用頻度の高いコップ１の場合にも簡便である。
【００２２】
紐状体５に伸縮性の良いゴム紐などを連結しておくと、伸縮性に劣る紐状体５に拘束されることなく、自由に任意の位置までゴム紐を伸長させることができ、使い勝手がより便利になる。したがって、コップ１を水道の蛇口などまで容易に延ばすことができる。蛇口が水用や湯用などのように複数有る場合にも、容易に延ばせるので重宝される。
【００２３】
前記の突起３に、鎖線で示すように括れ部７を形成して、この括れ部７を利用して、紐状体５を巻き付け連結することもできる。図２は括れ部７を利用して、低位置にスライド取付けできる。図２（１）は、コップ１の球面状外底部２の中央に設けた突起３に括れ部７を形成してあり、（２）は、この括れ部７を利用してコップ１を吊り下げ保持する手段の実施形態である。壁部などに固定するための取付け板８から２本のアーム９１、９２が水平に延長している。したがって、２本のアーム９１、９２間にコップ１の突起３の括れ部７を挿入すると、（１）図のように、２本のアーム９１、９２で括れ部７を挟持する格好となり、コップ１が逆さ状態に保持される。
【００２４】
２本のアーム９１、９２は帯板状の断面形状をしているが、円棒などであってもよい。また、（２）図の２本のアーム９１、９２が二股状になっており、しかも先端寄りが多少開いた状態になっている。その結果、２本のアーム９１、９２の先端側から矢印ａ１方向に括れ部７を挿入し、しかも奥までスライドさせると、それ以上スライド不可能となる。このように、括れ部７を奥までスライドさせると、コップ１の自由が拘束されて安定性が増し、容易に揺動したり、不安定となったりするのを抑制でき、脱落をより確実に防止できる。
【００２５】
このように先端寄りが多少開いた状態の２本のアーム９１、９２を、破線で示すように、複数組配列しておくと、多数のコップ１をスライド保持可能となる。図示のように、２本のアーム９１、９２の先端は、八の字状に開いているので、２本のアーム９１、９２間に括れ部７を挿入する操作がより簡便となる。なお、２本のアーム９１、９２は、先端から壁側への取付け部まで平行状態にすることも可能である。この場合は、２本のアーム９１、９２のどの位置ででも括れ部７を挟持してコップ１を保持できる。このように、２本のアームの間にコップ１の括れ部を挟持する場合は、紐状体５で吊り下げ保持する場合と違って、コップ１は自由に移動できる。
【００２６】
図３、図４は、コップを逆さ状態に磁力で保持可能とした実施形態である。図３（１）のように、コップ１の球面状外底部２の中央に、リング状の永久磁石１０を被せて接着などの手法によって取付け固定してある。一方、（２）のように、壁部などへの取付け板８から延長腕１１を介して鉄製の吸着板１２が水平に延びている。したがって、コップ１の外底部のリング状磁石１０を吸着板１２の下面に吸着させると、コップ１を真っ逆様に吸着保持でき、実質的に吊り下げ状態となる。磁力で吸着するので、分離状態では、図１のように紐状体５で吊り下げる場合と違って、コップ１を吸着板１２と関係なしに任意の位置に移動できる。
【００２７】
吸着板１２の材料は、鉄に限らず、他の磁性体でもよい。また、吸着板１２側を永久磁石とし、コップ１側にリング状の磁性体を取付け固定してもよい。なお、吸着板１２が永久磁石の場合は、鎖線のように延長腕１１を延ばして、その下面に永久磁石を接着固定しておくのがよい。
【００２８】
図４は、前記のリング状の磁性体又は磁石に代えて、コップ１の球面状外底部２の中央を覆うように被せた椀状の磁性体又は磁石を用いた実施形態である。１３が椀状の磁性体又は磁石であって、頂端が平坦になっている。したがって、椀状体１３が永久磁石の場合は、吸着板１２を鉄板などの磁性体の板にすると、永久磁石の平坦部１４が吸着板１２の下面に吸着される。逆に、吸着板１２側を永久磁石にして、鎖線のように延ばした延長腕１１の下側に接着固定し、椀状体１３側を磁性体にしてもよい。なお、前記の吸着板１２、リング状体１０、椀状体１３を全部永久磁石にすることも可能であるが、極性の配置設定に留意しないと、かえって反発する恐れもある。また、吸着板１２は、壁部から水平に延長させるのでなく、図１のように紐状体５などで上部から吊り下げておくことも可能である。
【００２９】
図５は、水や歯ブラシなどを入れた状態のコップを保持するためのリング体であって、（１）は平面図、（２）は側面図である。１５はリング体であって、その内径は、コップ１の最大外径より多少小さい。したがって、（２）のように、リング体１５中にコップ１を上から挿入すると、コップ１の飲み口を上にして安定保持できる。その結果、リング体１５で保持されたコップ１中に水や歯ブラシなどを入れたままにすることができる。リング体１５は壁面１６に取付けておき、常時水平状態に保持しておいてもよいが、常時は立てておき、使用時に水平に倒してコップ１を挿入保持可能にしてもよい。
【産業上の利用可能性】
【００３０】
以上のように、コップ外底部を球面状に形成すると共に突起を設けて吊り下げ可能にしたり、磁力で真っ逆様に吸着保持可能にすることによって、一定の場所に常に真っ逆様の状態に保持できるので、自然に確実に水切りされる。したがって、特に使用頻度の高いコップの場合に取り扱いが簡便となる。また、コップが常に真っ逆様に吊り下げ状態に保持されている光景は異様でもあり、一風変わった趣を醸し、購買欲をそそるという効果もある。
【図面の簡単な説明】
【００３１】
【図１】本考案によるコップを逆さに吊り下げ保持する実施形態を示す側面図である。
【図２】括れ部を利用してスライド保持する実施形態で、（１）は、コップの球面状外底部に括れ部を形成した側面図、（２）は、この括れ部を挟持する手段の斜視図である。
【図３】コップを逆さ状態に磁力で保持する実施形態で、（１）は、コップの球面状外底部にリング状の永久磁石を固定した縦断面図、（２）は、水平に延びた吸着板の斜視図である。
【図４】コップを逆さ状態に磁力で保持する他の実施形態で、（１）は吸着手段の斜視図、（２）は椀状体をコップの球面状外底部に被せて固定した縦断面図である。
【図５】コップに水などを入れた状態で保持するリング体の平面図と側面図である。
【符号の説明】
【００３２】
１  逆さ保持用のコップ
２  コップの外底部
３  突起
４  天井
５  鎖や紐
６  横穴
７  括れ部
８  取付け板
９１、９２  アーム
１０  永久磁石（又は磁性体）
１１  延長腕
１２  吸着板（磁性板又は磁石）
１３  椀状体
１４  平坦部
１５  リング体
１６  壁面
【図１】
0003124984.tif 000003
【図２】
0003124984.tif 000004
【図３】
0003124984.tif 000005
【図４】
0003124984.tif 000006
【図５】
0003124984.tif 000007
【手続補正書】
【提出日】平成18年7月5日(2006.7.5)
【手続補正１】
【補正対象書類名】実用新案登録請求の範囲
【補正対象項目名】全文
【補正方法】変更
【補正の内容】
【実用新案登録請求の範囲】
【請求項１】
水飲みなどに用いるコップを真っ逆様に保持可能とするために、コップの外底部を球面状に形成して、その中央に突起を設けると共に、前記突起に紐状体を連結可能としたことを特徴とする逆さ吊り下げ用のコップ。
【請求項２】
水飲みなどに用いるコップを真っ逆様に保持可能とするために、コップの外底部を球面状とし、ホルダーの二股状部の間に挿入する括れ部を前記球面状部の中央に設けた突起に形成してなることを特徴とする逆さ吊り下げ用のコップ。
【請求項３】
コップ外底部の球面状部の中央に設けた突起に形成してなる括れ部を挿入するための二股状部を設置してあることを特徴とするコップの吊り下げ保持構造。
【請求項４】
前記の二股状部は、先端寄りが多少開いた状態になっていることを特徴とする請求項３に記載のコップの吊り下げ保持構造。
【請求項５】
水飲みなどに用いるコップを真っ逆様に保持可能とするために、コップの外底部を球面状とし、前記球面状の部分にリング状又は椀状の磁石又は磁性体を被せて固定してあることを特徴とする逆さ吊り下げ用のコップ。
【請求項６】
コップ外底部の球面状部の中央に設けた突起又はリング状若しくは椀状の磁石あるいは磁性体を吸着する磁性板若しくは磁石に連結する紐状体の吊り下げ手段又は磁性板若しくは磁石の壁面への取付け手段を設けてなることを特徴とするコップの逆さ吊り下げ装置。  
【請求項７】
外底部を球面状に形成してなるコップの最大外径より内径の小さいリング体を水平に設置可能としてあることを特徴とするコップ保持装置。
【手続補正２】
【補正対象書類名】明細書
【補正対象項目名】全文
【補正方法】変更
【補正の内容】
【考案の詳細な説明】
【技術分野】
【０００１】
本考案は、水飲みなどに用いるコップを逆さに保持する構造に関する。
【背景技術】
【０００２】
コップを水飲みなどに使用した後、内部に水分が溜まったままになるのを避けるために、使用後のコップを逆さにして水切りかごに収納するのが通常である。これに対し、実用新案登録第３０６３１６２号で提案されているように、コップの取っ手と底側との間に孔状部を付設し、この孔状部をフックなどに引っ掛けて吊り下げることによって、開口部が常に下向きとなるような考案が知られている。
【特許文献１】実用新案登録第３０６３１６２
【考案の開示】
【考案が解決しようとする課題】
【０００３】
しかしながら、特許文献１のように孔状部を付設する構造では、吊り下げた状態ではコップが斜めになるため、見た目にスマートさが無く、見苦しい。また、孔状部を掛けるフックが不可欠であり、吊り下げ方も限定されてしまう。本考案の技術的課題は、このような問題に着目し、コップなどを真っ逆様に吊り下げることができ、しかも様々な吊り下げ方が可能なコップの逆さ保持構造を実現することにある。
【課題を解決するための手段】
【０００４】
本考案の技術的課題は次のような手段によって解決される。請求項１は、水飲みなどに用いるコップを真っ逆様に保持可能とするために、コップの外底部を球面状に形成して、その中央に突起を設けると共に、前記突起に紐状体を連結可能としたことを特徴とする逆さ吊り下げ用のコップである。このように、コップの外底部を球面状に形成してあるため、通常のコップのように、開口を上にしてどこにでも置くことはできないので、使用後の残り水などが溜まったままになるようなことはなく、衛生的である。そして、前記球面状部の中央に突起を設けて、該突起に紐状体を連結可能としたため、前記突起に紐状体を連結すると共に前記紐状体を水飲み場などに吊るしておくことによって、コップを容易に真っ逆様に吊り下げることができる。その結果、水切りが迅速かつ完全で、使用後の残り水が溜まって不衛生となるようなことはない。また、コップが真っ逆様に保持されている光景は意外性に富み、趣向的にもすぐれていて、購買意欲をそそるという効果を奏する。
【０００５】
請求項２は、水飲みなどに用いるコップを真っ逆様に保持可能とするために、コップの外底部を球面状とし、ホルダーの二股状部の間に挿入する括れ部を前記球面状部の中央に設けた突起に形成してなることを特徴とする逆さ吊り下げ用のコップである。このように、水飲みなどに用いるコップを真っ逆様に保持可能とするために、コップの外底部を球面状に形成してあるので、請求項１の場合と同様に水切りが完全であるほか、球面状部の中央に設けた突起に括れ部を形成してあるため、この括れ部をホルダーの二股間に挿入すれば、括れ部を挟持することによって、コップを真っ逆様に吊り下げ保持することができる。
【０００６】
請求項３は、コップ外底部の球面状部の中央に設けた突起に形成してなる括れ部を挿入するための二股状部を設置してあることを特徴とするコップの吊り下げ保持構造である。このように、コップ外底部の球面状部の中央に設けた突起に形成してなる括れ部を挟持するように、括れ部を挿入するための二股状部を設置してあるため、二股状部の間にコップの括れ部を挿入するだけで、コップを安定よく吊り下げ保持できる。
【０００７】
請求項４は、前記の二股状部は、先端寄りが多少開いた状態になっていることを特徴とする請求項３に記載のコップの吊り下げ保持構造である。このように、前記の二股状部は、先端寄りが多少開いた状態になっているため、括れ部が二股状部の間に多少きつく挟持されるように奥まで押し込むことによってコップの自由が拘束されて安定性が増し、又は脱落をより確実に防止できる。
【０００８】
請求項５は、水飲みなどに用いるコップを真っ逆様に保持可能とするために、コップの外底部を球面状とし、前記球面状の部分にリング状又は椀状の磁石又は磁性体を固定してあることを特徴とする逆さ吊り下げ用のコップである。このように、水飲みなどに用いるコップを真っ逆様に保持可能とするために、コップの外底部を球面状とし、前記球面状の部分にリング状又は椀状の磁石又は磁性体を被せて固定してあるため、球面状外底部の作用で水切りが完全になるほか、前記球面状部に被せて固定してあるリング状又は椀状の磁石又は磁性体を利用してホルダー側に磁力でワンタッチ式に吸着保持させることによって、容易にコップを真っ逆様に吊るすことができる。
【０００９】
請求項６は、コップ外底部の球面状部の中央に設けた突起又はリング状若しくは椀状の磁石あるいは磁性体を吸着する磁性板若しくは磁石に連結する紐状体の吊り下げ手段又は磁性板若しくは磁石の壁面への取付け手段を設けてなることを特徴とするコップの逆さ吊り下げ装置である。このように、コップ外底部の突起や吸着用の磁石などに連結する紐状体を吊り下げる吊り下げ手段を設けてあると、コップを容易に真っ逆様に吊り下げ状態に保持できる。
【００１０】
また、請求項５に記載のリング状又は椀状の磁石又は磁性体を吸着する磁性板又は磁石の壁面への取付け手段を設けてあると、壁面に取付け固定されている取付け手段に付いている磁性板又は磁石の下面に、コップ側の磁石又は磁性体を吸着させることによって、ワンタッチで容易に吊り下げ保持できる。
【００１１】
請求項７は、外底部を球面状に形成してなるコップの最大外径より内径の小さいリング体を水平に設置可能としてあることを特徴とするコップ保持装置である。このように、外底部を球面状に形成したコップの最大外径より内径の小さいリング体を水平に設置可能としてあるため、前記コップに水や歯ブラシなどを入れた状態にしたい場合は、リング体を水平にしてその中にコップを挿入して、コップ中に水や歯ブラシなどを入れておくことができる。
【考案の効果】
【００１２】
請求項１のように、コップの外底部を球面状に形成してあるため、通常のコップのように、開口を上にしてどこにでも置くことはできないので、使用後の残り水などが溜まったままになるようなことはなく、衛生的である。そして、前記球面状部の中央に突起を設けて、該突起に紐状体を連結可能としたため、前記突起に紐状体を連結すると共に前記紐状体を水飲み場などに吊るしておくことによって、コップを容易に真っ逆様に吊り下げることができる。その結果、水切りが迅速かつ完全で、使用後の残り水が溜まって不衛生となるようなことはない。また、コップが真っ逆様に保持されている光景は意外性に富み、趣向的にもすぐれていて、購買意欲をそそるという効果を奏する。
【００１３】
請求項２のように、水飲みなどに用いるコップを真っ逆様に保持可能とするために、コップの外底部を球面状に形成してあるので、請求項１の場合と同様に水切りが完全であるほか、球面状部の中央に設けた突起に括れ部を形成してあるため、この括れ部をホルダーの二股間に挿入すれば、括れ部を挟持することによって、コップを真っ逆様に吊り下げ保持することができ、使用後の残り水が溜まって不衛生となるようなことはない。
【００１４】
請求項３のように、コップ外底部の球面状部の中央に設けた突起に形成してなる括れ部を挟持するように、括れ部を挿入するための二股状部を設置してあるため、二股状部の間にコップの括れ部を挿入するだけで、コップを安定よく吊り下げ保持できる。
【００１５】
請求項４のように、前記の二股状部は、先端寄りが多少開いた状態になっているため、括れ部が二股状部の間に多少きつく挟持されるまで挿入することによってコップの自由が拘束されて安定性が増し、又は脱落をより確実に防止できる。
【００１６】
請求項５のように、水飲みなどに用いるコップを真っ逆様に保持可能とするために、コップの外底部を球面状とし、前記球面状の部分にリング状又は椀状の磁石又は磁性体を被せて固定してあるため、球面状外底部の作用で水切りが完全になるほか、前記球面状部に被せて固定してあるリング状又は椀状の磁石又は磁性体を利用してホルダー側に磁力でワンタッチ式に吸着保持させることによって、容易にコップを真っ逆様に吊るすことができる。
【００１７】
請求項６のように、コップ外底部の突起や吸着用の磁石などに連結する紐状体を吊り下げる吊り下げ手段を設けてあると、コップを容易に真っ逆様に吊り下げ状態に保持できる。また、請求項５に記載のリング状又は椀状の磁石又は磁性体を吸着する磁性板又は磁石の壁面への取付け手段を設けてあると、壁面に取付け固定されている取付け手段に付いている磁性板又は磁石の下面に、コップ側の磁石又は磁性体を吸着させることによって、ワンタッチで容易に吊り下げ保持できる。
【００１８】
請求項７のように、外底部を球面状に形成したコップの最大外径より内径の小さいリング体を水平に設置可能としてあるため、前記コップに水や歯ブラシなどを入れた状態にしたい場合は、リング体を水平にしてその中にコップを挿入して、コップ中に水や歯ブラシなどを入れておくことができる。
【考案を実施するための最良の形態】
【００１９】
次に本考案によるコップの逆さ保持構造が実際上どのように具体化されるか実施形態を説明する。図１は本考案によるコップの逆さ保持構造の第１実施形態を示す側面図である。１は逆さ保持用のコップであり、容器部が例えばワイングラス状をしている。したがって、コップ１の外底部２が球面状に形成されている。図示例の場合は、卵状ないし楕円状になっている。そして、この球面状部２の中央に突起３を設け、この突起３を利用して、例えば天井４などに鎖や紐など５で吊り下げる構造になっている。
【００２０】
図示例では、紐状体５を突起３に連結するために、突起３に横穴６を開けて、この横穴６に紐状体５を挿通し、結んである。紐状体５の下端にフックを連結しておいて、このフックを前記横穴６に挿入してもよい。紐状体５の上端は、天井部４に固定してあるフックＦなどに連結してある。
【００２１】
このようにして、コップ１の球面状の外底部２の中央に設けた突起３を利用して、紐状体５を介して、天井部などに真っ逆様に吊り下げ保持してあるため、このコップ１を水飲みや歯磨きなどに使用した後は、ゆすいでからそのまま再び吊り下げ状態にしておくだけで、確実に水切りされ、かつ自然乾燥する。また、コップ１が常に一定の場所に吊り下がっていると、コップ１を探したりする面倒もなく、使い勝手が良くなる。したがって、例えば肢体が不自由な人や高齢者、幼児などでも容易に使えて、便利である。使用頻度の高いコップ１の場合にも簡便である。
【００２２】
紐状体５に伸縮性の良いゴム紐などを連結しておくと、伸縮性に劣る紐状体５に拘束されることなく、自由に任意の位置までゴム紐を伸長させることができ、使い勝手がより便利になる。したがって、コップ１を水道の蛇口などまで容易に延ばすことができる。蛇口が水用や湯用などのように複数有る場合にも、容易に延ばせるので重宝される。
【００２３】
前記の突起３に、鎖線で示すように括れ部７を形成して、この括れ部７を利用して、紐状体５を巻き付け連結することもできる。図２は括れ部７を利用して、低位置にスライド取付けできる。図２（１）は、コップ１の球面状外底部２の中央に設けた突起３に括れ部７を形成してあり、（２）は、この括れ部７を利用してコップ１を吊り下げ保持する手段の実施形態である。壁部などに固定するための取付け板８から２本のアーム９１、９２が水平に延長している。したがって、２本のアーム９１、９２間にコップ１の突起３の括れ部７を挿入すると、（１）図のように、２本のアーム９１、９２で括れ部７を挟持する格好となり、コップ１が逆さ状態に保持される。
【００２４】
２本のアーム９１、９２は帯板状の断面形状をしているが、円棒などであってもよい。また、（２）図の２本のアーム９１、９２が二股状になっており、しかも先端寄りが多少開いた状態になっている。その結果、２本のアーム９１、９２の先端側から矢印ａ１方向に括れ部７を挿入し、しかも奥までスライドさせると、それ以上スライド不可能となる。このように、括れ部７を奥までスライドさせると、コップ１の自由が拘束されて安定性が増し、容易に揺動したり、不安定となったりするのを抑制でき、脱落をより確実に防止できる。
【００２５】
このように先端寄りが多少開いた状態の２本のアーム９１、９２を、破線で示すように、複数組配列しておくと、多数のコップ１をスライド保持可能となる。図示のように、２本のアーム９１、９２の先端は、八の字状に開いているので、２本のアーム９１、９２間に括れ部７を挿入する操作がより簡便となる。なお、２本のアーム９１、９２は、先端から壁側への取付け部まで平行状態にすることも可能である。この場合は、２本のアーム９１、９２のどの位置ででも括れ部７を挟持してコップ１を保持できる。このように、２本のアームの間にコップ１の括れ部を挟持する場合は、紐状体５で吊り下げ保持する場合と違って、コップ１は自由に移動できる。
【００２６】
図３、図４は、コップを逆さ状態に磁力で保持可能とした実施形態である。図３（１）のように、コップ１の球面状外底部２の中央に、リング状の永久磁石１０を被せて接着などの手法によって取付け固定してある。一方、（２）のように、壁部などへの取付け板８から延長腕１１を介して鉄製の吸着板１２が水平に延びている。したがって、コップ１の外底部のリング状磁石１０を吸着板１２の下面に吸着させると、コップ１を真っ逆様に吸着保持でき、実質的に吊り下げ状態となる。磁力で吸着するので、分離状態では、図１のように紐状体５で吊り下げる場合と違って、コップ１を吸着板１２と関係なしに任意の位置に移動できる。
【００２７】
吸着板１２の材料は、鉄に限らず、他の磁性体でもよい。また、吸着板１２側を永久磁石とし、コップ１側にリング状の磁性体を取付け固定してもよい。なお、吸着板１２が永久磁石の場合は、鎖線のように延長腕１１を延ばして、その下面に永久磁石を接着固定しておくのがよい。
【００２８】
図４は、前記のリング状の磁性体又は磁石に代えて、コップ１の球面状外底部２の中央を覆うように被せた椀状の磁性体又は磁石を用いた実施形態である。１３が椀状の磁性体又は磁石であって、頂端が平坦になっている。したがって、椀状体１３が永久磁石の場合は、吸着板１２を鉄板などの磁性体の板にすると、永久磁石の平坦部１４が吸着板１２の下面に吸着される。逆に、吸着板１２側を永久磁石にして、鎖線のように延ばした延長腕１１の下側に接着固定し、椀状体１３側を磁性体にしてもよい。なお、前記の吸着板１２、リング状体１０、椀状体１３を全部永久磁石にすることも可能であるが、極性の配置設定に留意しないと、かえって反発する恐れもある。また、吸着板１２は、壁部から水平に延長させるのでなく、図１のように紐状体５などで上部から吊り下げておくことも可能である。
【００２９】
図５は、水や歯ブラシなどを入れた状態のコップを保持するためのリング体であって、（１）は平面図、（２）は側面図である。１５はリング体であって、その内径は、コップ１の最大外径より多少小さい。したがって、（２）のように、リング体１５中にコップ１を上から挿入すると、コップ１の飲み口を上にして安定保持できる。その結果、リング体１５で保持されたコップ１中に水や歯ブラシなどを入れたままにすることができる。リング体１５は壁面１６に取付けておき、常時水平状態に保持しておいてもよいが、常時は立てておき、使用時に水平に倒してコップ１を挿入保持可能にしてもよい。
【産業上の利用可能性】
【００３０】
以上のように、コップ外底部を球面状に形成すると共に突起を設けて吊り下げ可能にしたり、磁力で真っ逆様に吸着保持可能にすることによって、一定の場所に常に真っ逆様の状態に保持できるので、自然に確実に水切りされる。したがって、特に使用頻度の高いコップの場合に取り扱いが簡便となる。また、コップが常に真っ逆様に吊り下げ状態に保持されている光景は異様でもあり、一風変わった趣を醸し、購買欲をそそるという効果もある。
【図面の簡単な説明】
【００３１】
【図１】本考案によるコップを逆さに吊り下げ保持する実施形態を示す側面図である。
【図２】括れ部を利用してスライド保持する実施形態で、（１）は、コップの球面状外底部に括れ部を形成した側面図、（２）は、この括れ部を挟持する手段の斜視図である。
【図３】コップを逆さ状態に磁力で保持する実施形態で、（１）は、コップの球面状外底部にリング状の永久磁石を固定した縦断面図、（２）は、水平に延びた吸着板の斜視図である。
【図４】コップを逆さ状態に磁力で保持する他の実施形態で、（１）は吸着手段の斜視図、（２）は椀状体をコップの球面状外底部に被せて固定した縦断面図である。
【図５】コップに水などを入れた状態で保持するリング体の平面図と側面図である。
【符号の説明】
【００３２】
１  逆さ保持用のコップ
２  コップの外底部
３  突起
４  天井
５  鎖や紐
６  横穴
７  括れ部
８  取付け板
９１、９２  アーム
１０  永久磁石（又は磁性体）
１１  延長腕
１２  吸着板（磁性板又は磁石）
１３  椀状体
１４  平坦部
１５  リング体
１６  壁面